(57)【特許請求の範囲】
【請求項１】
一側に配置される洗浄前の被洗浄物の搬入部と、該搬入部に対向して他側に配置される洗浄後の前記被洗浄物の搬出部と、これら搬入部と搬出部との間に前記搬入部側に洗浄部及び該洗浄部に隣接して前記搬出部側に配置される次の洗浄部と、前記搬入部に搬入された被洗浄物を前記洗浄部、前記次の洗浄部及び前記搬出部に順次搬送する搬送部を備えた洗浄装置であって、
前記洗浄部より前記次の洗浄部を上段に配置し、
前記洗浄部及び前記次の洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、
前記洗浄部に前記被洗浄物を支持可能な固定台を設けると共に、前記次の洗浄部に前記被洗浄物を支持可能な前記固定台より高く配置した次の固定台を設け、前記固定台と前記次の固定台との間に介在し、前記固定台から前記次の固定台までを上下方向に往復動する前記被洗浄物の持ち上げ用の搬送台を前記搬送部に設け、
前記固定台及び前記次の固定台に、側面視で傾斜した円弧状の係止部を設けたことを特徴とする洗浄装置。
【請求項２】
前記次の洗浄部と前記排出部との間に、更なる洗浄部が設けられると共に、該更なる洗浄部は前記次の洗浄部より上段に配置され、前記更なる洗浄部に前記被洗浄物を支持可能な更なる固定台を設けると共に、前記更なる洗浄部に前記被洗浄物を支持可能な前記次の固定台より高く配置した前記更なる固定台を設け、前記次の固定台と前記更なる固定台との間に介在し、前記次の固定台から前記更なる固定台までを上下方向に往復動する前記被洗浄物の持ち上げ用の次の搬送台を前記搬送部に前記搬送台と一体的に設け、
前記更なる洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、
前記更なる固定台に、側面視で傾斜した円弧状の係止部を設けたことを特徴とする請求項１記載の洗浄装置。
【請求項３】
一側に配置される洗浄前の被洗浄物の搬入部と、該搬入部に対向して他側に配置される洗浄後の前記被洗浄物の搬出部と、これら搬入部と搬出部との間に前記搬入部側に洗浄部及び該洗浄部に隣接して前記搬出部側に配置される乾燥部と、前記搬入部に搬入された被洗浄物を前記洗浄部、前記乾燥部に順次搬送する搬送部を備えた洗浄装置であって、前記洗浄部より前記乾燥部を上段に配置し、
前記洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、
前記洗浄部に前記被洗浄物を支持可能な固定台を設けると共に、前記乾燥部に前記被洗浄物を支持可能な前記固定台より高く配置した次の固定台を設け、前記固定台と前記次の固定台との間に介在し、前記固定台から前記次の固定台までを上下方向に往復動する前記被洗浄物の持ち上げ用の搬送台を前記搬送部に設け、
前記固定台及び前記次の固定台に、側面視で傾斜した円弧状の係止部を設けたことを特徴とする洗浄装置。
【発明の詳細な説明】
【技術分野】
【０００１】
本発明は、洗浄装置に関するものである。
【背景技術】
【０００２】
パイプを洗浄する洗浄装置として、洗浄槽内にパイプを搬送し、このパイプに向けて洗浄液を噴出する噴射ノズルを設け、噴射ノズルからの洗浄液をパイプ内部及び外部に噴射し、さらに乾燥槽に搬送したパイプをエアーノズルからの空気で乾燥させるようにしたものが公知である。
【先行技術文献】
【特許文献】
【０００３】
【特許文献１】実開平５−２６１７４号公報
【発明の概要】
【発明が解決しようとする課題】
【０００４】
従来技術では、被洗浄物であるパイプを洗浄槽内に搬送して噴射ノズルからの洗浄液で洗浄するものであるので、噴射ノズルから噴出する洗浄液が飛散し、各工程間に、間仕切り用のシャッターが必要であった。しかし、シャッター等を設けるとパイプを洗浄槽内に搬送するために、スピードアップを図ることができない。
【０００５】
解決しようとする問題点は、スピードアップを図ると共に、各工程間に間仕切用のシャッターを設けず、洗浄液の飛散による弊害を少なくできる洗浄装置を提供する点である。
【課題を解決するための手段】
【０００６】
請求項１の洗浄装置は、一側に配置される洗浄前の被洗浄物の搬入部と、該搬入部に対向して他側に配置される洗浄後の前記被洗浄物の搬出部と、これら搬入部と搬出部との間に前記搬入部側に洗浄部及び該洗浄部に隣接して前記搬出部側に配置される次の洗浄部と、前記搬入部に搬入された被洗浄物を前記洗浄部、前記次の洗浄部及び前記搬出部に順次搬送する搬送部を備えた洗浄装置であって、前記洗浄部より前記次の洗浄部を上段に配置し、前記洗浄部及び前記次の洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、前記洗浄部に前記被洗浄物を支持可能な固定台を設けると共に、前記次の洗浄部に前記被洗浄物を支持可能な前記固定台より高く配置した次の固定台を設け、前記固定台と前記次の固定台との間に介在し、前記固定台から前記次の固定台までを上下方向に往復動する前記被洗浄物の持ち上げ用の搬送台を前記搬送部に設け、前記固定台及び前記次の固定台に、側面視で傾斜した円弧状の係止部を設けたことを特徴とする。
【０００７】
請求項２の洗浄装置は、請求項１において、前記次の洗浄部と前記排出部との間に、更なる洗浄部が設けられると共に、該更なる洗浄部は前記次の洗浄部より上段に配置され、前記更なる洗浄部に前記被洗浄物を支持可能な更なる固定台を設けると共に、前記更なる洗浄部に前記被洗浄物を支持可能な前記次の固定台より高く配置した前記更なる固定台を設け、前記次の固定台と前記更なる固定台との間に介在し、前記次の固定台から前記更なる固定台までを上下方向に往復動する前記被洗浄物の持ち上げ用の次の搬送台を前記搬送部に前記搬送台と一体的に設け、前記更なる洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、前記更なる固定台に、側面視で傾斜した円弧状の係止部を設けたことを特徴とする。
【０００８】
請求項３の洗浄装置は、一側に配置される洗浄前の被洗浄物の搬入部と、該搬入部に対向して他側に配置される洗浄後の前記被洗浄物の搬出部と、これら搬入部と搬出部との間に前記搬入部側に洗浄部及び該洗浄部に隣接して前記搬出部側に配置される乾燥部と、前記搬入部に搬入された被洗浄物を前記洗浄部、前記乾燥部に順次搬送する搬送部を備えた洗浄装置であって、前記洗浄部より前記乾燥部を上段に配置し、前記洗浄部に、前記被洗浄物が貫通可能な貫通孔が形成され、前記被洗浄物の外周面を洗浄するための外周面洗浄用ヘッダーと、前記被洗浄物に挿入可能に形成され、前記被洗浄物の内周面を洗浄するための内周面洗浄用ヘッダーと、前記被洗浄物を前記外周面洗浄用ヘッダーと前記内周面洗浄用ヘッダーとの間に通して洗浄するための駆動部とを備え、前記洗浄部に前記被洗浄物を支持可能な固定台を設けると共に、前記乾燥部に前記被洗浄物を支持可能な前記固定台より高く配置した次の固定台を設け、前記固定台と前記次の固定台との間に介在し、前記固定台から前記次の固定台までを上下方向に往復動する前記被洗浄物の持ち上げ用の搬送台を前記搬送部に設け、前記固定台及び前記次の固定台に、側面視で傾斜した円弧状の係止部を設けたことを特徴とする。
【発明の効果】
【０００９】
請求項１の発明によれば、洗浄時に次工程の洗浄部が高く配置しているので、被洗浄物を洗浄したときの飛散した汚れが次工程の洗浄部に至らずに、より高い洗浄性を実現することができる。また、間仕切り機構が不要である為、搬送時間が短縮でき、より多くの被洗浄物が処理できる。また、搬送台によって下段の洗浄部から上段の洗浄部へと被洗浄物を確実に持ち上げて搬送することができる。
【００１０】
請求項２の発明によれば、洗浄部から次の洗浄部への被洗浄物の搬送、次の洗浄部から更なる洗浄部への搬送が同期できるので、被洗浄物を連続して洗浄することができる。
【００１１】
請求項３の発明によれば、洗浄時に次工程の乾燥部が高く配置しているので、被洗浄物を洗浄したときの飛散した汚れが次工程の乾燥部に至らずに、より高い洗浄性、乾燥性を実現することができる。また、間仕切り機構が不要である為、搬送時間が短縮でき、より多くの被洗浄物が処理できる。
【図面の簡単な説明】
【００１２】
【図１】本発明の実施例１を示す搬送台が下位置状態の側面側の縦断面図である。
【図２】同搬送台が上位置状態の側面側の縦断面図である。
【図３】同正面側の縦断面図である。
【図４】同ノズルヘッダーの縦断面図である。
【図５】同ノズルヘッダーの側面図である。
【図６】同搬送部まわりの斜視図である。
【図７】同ノズルヘッダーまわりの斜視図である。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図は実施例１を示しており、実施例では所定の長さに切断された被洗浄物であるパイプＰの外周面及び内周面を洗浄する洗浄装置を示している。洗浄装置は、洗浄室１の内部の一側である前側の低い箇所に洗浄前の横置きされるパイプＰの搬入部２が設けられ、洗浄室１の他側である後側の高い箇所に洗浄後の横置きされるパイプＰの搬出部３が設けられる。
【００１５】
そして、パイプＰはその中心軸線を、洗浄室１の前後方向と直交する方向となる左右方向に配置するようにして横置きされて断続的に順次搬送されるように、前側にある搬入部２から後側にある搬出部３までの間に、第一の洗浄部４、第二の洗浄部５、第三の洗浄部６、第一の乾燥部７、待機部８及び第二の乾燥部９が正対して順に並んでいる。尚、図３においては後述する第二の洗浄部、第三の洗浄部、第四の洗浄部、待機部、乾燥部の図示を省略している。これら搬入部２、第一の洗浄部４、第二の洗浄部５、第三の洗浄部６、第一の乾燥部７、待機部８、第二の乾燥部９及び搬出部３におけるパイプＰの載置面は略同一の段差高さＨとなって順次段階的に上段に配置されている。また、搬入部２、第一の洗浄部４、第二の洗浄部５、第三の洗浄部６、第一の乾燥部７、待機部８、第二の乾燥部９及び搬出部３の前後方向の幅は略同一に形成されている。
【００１６】
そして、第一の洗浄部４にパイプＰを支持可能な第一の固定台10を設ける。
【００１７】
同様に第二の洗浄部５にパイプＰを支持可能で第一の固定台10より高く（段差高さＨ）配置した第二の固定台11を設け、第三の洗浄部６にパイプＰを支持可能な第二の固定台11より高く（段差高さＨ）配置した第三の固定台12を設け、第一の乾燥部７にパイプＰを支持可能で第三の固定台12より高く配置した第四の固定台13を設け、待機部８にパイプＰを支持可能な第四の固定台13より高く配置した待機用の第五の固定台14を設ける。第二の乾燥部９にパイプＰを支持可能な第五の固定台14より高く配置した第六の固定台15を設ける。さらに、搬出部３にパイプＰを支持可能な第六の固定台15より高く配置した搬出用の第七の固定台16を設ける。これら第一の固定台10〜第七の固定台16は洗浄室１のフレーム17に対して固定されて定位置に設けられている。
【００１８】
そして、第一の固定台10、第二の固定台11、第三の固定台12、第四の固定台13、第五の固定台14、第六の固定台15、第七の固定台16における第一の洗浄部４、第二の洗浄部５、第三の洗浄部６、第一の乾燥部７、待機部８、第二の乾燥部９の下方にあって正対向する部位に、パイプＰの転がりを阻止できる側面視で傾斜した浅底円弧状の第一の係止部18、第二の係止部19、第三の係止部20、第四の係止部21、第五の係止部22、第六の係止部23、第七の係止部24が形成されている。
【００１９】
最下段にある搬入部２は、図３中の左右方向に搬入用ローラ群25が長手方向に沿って複数並設しており、そして、搬入用ローラ群25の左側が洗浄前のパイプＰの供給部26となっている。尚、搬入用ローラ群25のそれぞれのローラ軸線は水平となって前後方向に向いている。したがって、供給部26から供給されたパイプＰは１本ごとに搬入用ローラ群25によって図３中の右側の搬入部２へと搬入される。そして、搬入部２ではパイプＰは第一の洗浄部４に正対する。
【００２０】
第一の洗浄部４は、図３中の左右方向の一方である左側にパイプＰを載置するための第一の固定台10が設けられると共に、左右方向の他方である右側にパイプＰを移動させるため往復移動用の第一のローラ群27が長手方向に沿って複数並設しており、それぞれのローラ群27は水平となって前後方向に向いている。第一の固定台10は、一側、すなわち前側と他側、すなわち後側を結ぶ仮想線（図示せず）に直交する方向、すなわち左右方向を向いた水平な第一の洗浄部４の下部において、長手方向に沿って複数並設したものであって、これら複数並設した第一の固定台10は、縦置きされた板状部材によって横置きされたパイプＰを支持できるように第一の間隔28を置いて少なくとも左右方向の両端と中央の３箇所、実施例では等間隔の第一の間隔28を有して６箇所に配置されている。さらに、第一の固定台10はパイプＰを安定的に支持できるように第一の洗浄部４の真下にＵ字形状やＶ字形状の上方を開口すると共に両端を前後方向に向けた前記第一の係止部18が設けられており、第一の係止部18の前方は斜め上向き部が連続しており、その前端10Ａは、搬入部２と第一の洗浄部４との中間に配置されている。また第一の固定台10の後端10Ｂは第一の洗浄部４の中心よりやや後方に配置している。
【００２１】
そして、第一の洗浄部４の左右方向の中央、すなわち第一の固定台10と支持案内用の第一のローラ群27との中間に、図４，５に示すようにパイプＰの外周面を洗浄するための第一の外周面洗浄用ノズル29と、パイプＰの内周面を洗浄するための第一の内周面洗浄用ノズル30が設けられる。第一の外周面洗浄用ノズル29は、第一の洗浄部４の中心軸線を囲むようにして、パイプＰが貫通可能な貫通孔を形成した円環状の第一の外周面洗浄用ヘッダー31の内周側に、第一の外周面洗浄用ノズル29の洗浄液噴出孔が第一の洗浄部４の中心軸線に向けて設けられている。第一の内周面洗浄用ノズル30は、第一の洗浄部４の中心軸線よりやや下方に配置されてパイプＰに挿入可能な小パイプ状の第一の内周面洗浄用ヘッダー32の外周側に、第一の内周面洗浄用ノズル30の洗浄液噴出孔が第一の洗浄部４の中心軸線と反対側に向けて設けられている。尚、第一の外周面洗浄用ヘッダー31には、パイプＰの上方を覆うように洗浄液の飛散防止カバー33が設けられている。
【００２２】
さらに、第一の洗浄部４ではパイプＰの長手方向の全域又はほぼ全域を第一の外周面洗浄用ノズル29と第一の内周面洗浄用ノズル30との間に通して洗浄するためのパイプＰの第一の横送り往復駆動部34が設けられる。この第一の横送り往復駆動部34は、第一の洗浄部４の中心の左右に、それぞれパイプＰの左右両端面に接触して該パイプＰを押圧可能な左右方向の一方にある第一の一方の押圧部35、左右方向の他方にある第一の他方の押圧部36がそれぞれ設けられており、これら左右一対の第一の一方の押圧部35、第一の他方の押圧部36は、先端が対向するＬ字形状であって、第一の一方の押圧部35、第一の他方の押圧部36の左右方向の間隔は、パイプＰの全長と略同じかやや長く形成されている。これら左右一対の第一の一方の押圧部35、第一の他方の押圧部36は、キャリアーなどと称する左右方向の往復駆動装置37が接続されている。実施例では往復駆動装置37は洗浄室１内の前後間に、左右方向に往復動可能な架設部材38を設けられ、架設部材38から固定された下向き部材39を介して第一の洗浄部４〜第二の乾燥部９のやや上方に斜め向き部材40が左右一対配置されており、そして左側に配置された斜め向き部材40における第一の洗浄部４に対向する箇所に第一の一方の押圧部35が接続され、また右側に配置された斜め向き部材40における第一の洗浄部４に対向する箇所に第一の他方の押圧部36が接続されるようになっている。尚、架設部材38の前後端を左右方向にそれぞれ摺動ガイドするためのガイドレール（図示せず）が設けられており、架設部材38は図示しない正回転・逆回転切り替え可能なモータにチェーンや歯車などを介して接続されて左右方向に往復動できるようになっている。尚、図６中、符号40Ａは左右一対の斜め向き部材40を接続する補強軸、41は洗浄室１の左右に架設するガイド軸であって、斜め向き部材40と一体なローラ40Ｂが転動するようになっている。
【００２３】
第二の洗浄部５は、第一の洗浄部４と同様に、図３中の左右方向の一方にパイプＰを載置するための第二の固定台11が設けられると共に、左右方向の右側にパイプＰを移動させるため往復移動用の第二のローラ群42が長手方向に沿って複数並設しており、それぞれのローラ軸線は水平となって前後方向に向いている。そして、第二の洗浄部５の左右方向の中央に、第二の外周面洗浄用ヘッダー43、第二の内周面洗浄用ヘッダー44が設けられる。
【００２４】
さらに、第二の洗浄部５ではパイプＰの長手方向の全域又はほぼ全域を第二の外周面洗浄用ヘッダー43、第二の内周面洗浄用ヘッダー44との間に通して洗浄するためのパイプＰの第二の横送り往復駆動部45が設けられる。この第二の横送り往復駆動部45は、第二の洗浄部５の中心の左右に、それぞれパイプＰの左右両端面に接触して該パイプＰを押圧可能な左右方向の一方にある第二の一方の押圧部46、左右方向の他方にある第二の他方の押圧部47がそれぞれ設けられており、これら左右一対の第二の一方の押圧部46、第二の他方の押圧部47は、第一の一方の押圧部35、第一の他方の押圧部36と同様に左右方向の間隔は、パイプＰの全長と略同じかやや長く形成されている。これら左右一対の第二の一方の押圧部46、第二の他方の押圧部47は、第一の洗浄部４と同一の往復駆動装置37が接続されている。
【００２５】
そして、第二の固定台11は第一の固定台10と同様に、複数並設した第二の固定台11は、横置きされたパイプＰを支持できるように等間隔の第二の間隔48を有して６箇所に配置されている。さらに、第二の固定台11はパイプＰを安定的に支持できるように第二の洗浄部５の中心の真下に第二の係止部19が設けられており、第二の係止部19の前方は斜め上向き部が連続して、第二の固定台11の前端11Ａは、第一の洗浄部４と第二の洗浄部５との中間に配置されている。
【００２６】
また、第三の洗浄部６は、第一の洗浄部４と同様に、図３中の左右方向の一方にパイプＰを載置するための第三の固定台12が設けられると共に、左右方向の右側にパイプＰを移動させるため往復移動用の第三のローラ群49が長手方向に沿って複数並設しており、それぞれのローラ軸線は水平となって前後方向に向いている。そして、第三の洗浄部６の左右方向の中央に、第三の外周面洗浄用ヘッダー50、第三の内周面洗浄用ヘッダー51が設けられる。
【００２７】
さらに、第三の洗浄部６ではパイプＰの長手方向の全域又はほぼ全域を第三の外周面洗浄用ヘッダー50、第三の内周面洗浄用ヘッダー51との間に通して洗浄するためのパイプＰの第三の横送り往復駆動部52が設けられる。この第三の横送り往復駆動部52は、第三の洗浄部６の中心とほぼ同一軸線箇所の左右に、それぞれパイプＰの左右両端面に接触して該パイプＰを押圧可能な左右方向の一方にある第三の一方の押圧部53、左右方向の他方にある第三の他方の押圧部54がそれぞれ設けられており、これら左右一対の第三の一方の押圧部53、第三の他方の押圧部54は、第一の一方の押圧部35、第一の他方の押圧部36と同様に左右方向の間隔は、パイプＰの全長と略同じかやや長く形成されている。これら左右一対の第三の一方の押圧部53、第三の他方の押圧部54は、第一の洗浄部４と同一の往復駆動装置37が接続されている。
【００２８】
そして、第三の固定台12は第一の固定台10と同様に、複数並設した第三の固定台12は、横置きされたパイプＰを支持できるように等間隔の第三の間隔55を有して６箇所に配置されている。さらに、第三の固定台12はパイプＰを安定的に支持できるように第三の洗浄部６の中心の真下に第三の係止部20が設けられており、第三の係止部20の前方は斜め上向きに連続しており、第三の固定台12の前端12Ａは、第二の洗浄部５と第三の洗浄部６との中間に配置されている。
【００２９】
同様に、第四の固定台13を有する第一の乾燥部７が設けられている。尚、第一の乾燥部７については後述する第二の乾燥部９と同様な構成を有する。
【００３０】
待機部８は、第一の乾燥部７から送り込まれたパイプＰを第二の乾燥部９にいったんためて再び第二の乾燥部９に送り出すものであり、待機部８は、第一の洗浄部４と同様に、図３中の左右方向の一方にパイプＰを載置するための第五の固定台14が設けられる。
【００３１】
そして、第五の固定台14は第一の固定台10と同様に、複数並設した第五の固定台14は、横置きされたパイプＰを支持できるように等間隔の第五の間隔56を有して６箇所に配置されている。さらに、第五の固定台14はパイプＰを安定的に支持できるように待機部８の中心軸線の真下に第五の係止部22が設けられており、第五の係止部22の前方は斜め上向きに連続しており、第五の固定台14の前端14Ａは、第一の乾燥部７と待機部８との中間に配置されている。
【００３２】
また、第二の乾燥部９は、第一の洗浄部４と同様に、図３中の左右方向の一方にパイプＰを載置するための第六の固定台15が設けられると共に、左右方向の右側にパイプＰを移動させるため往復移動用の第六のローラ群57が長手方向に沿って複数並設しており、それぞれのローラ軸線は水平となって前後方向に向いている。そして、第二の乾燥部９の左右方向の中央に、それぞれ第一の外周面洗浄用ノズル29、第二の内周面洗浄用ノズル29と同様な構造を有して圧縮空気を噴出する外周面乾燥用ノズル58を備えた外周面乾燥用ヘッダー59と、内周面乾燥用ノズル60を備えた内周面乾燥用ヘッダー61が設けられる。
【００３３】
さらに、第二の乾燥部９ではパイプＰの長手方向の全域又はほぼ全域を外周面乾燥用ヘッダー59と内周面乾燥用ヘッダー61との間に通して洗浄するためのパイプＰの乾燥用の横送り往復駆動部62が設けられる。この乾燥用の横送り往復駆動部62は、第二の乾燥部９の中心とほぼ同一軸線箇所の左右に、それぞれパイプＰの左右両端面に接触して該パイプＰを押圧可能な左右方向の一方にある略乾燥用の一方の押圧部（図示せず）、左右方向の他方にある乾燥用の他方の押圧部64がそれぞれ設けられており、これら左右一対の乾燥用の一方の押圧部、乾燥用の他方の押圧部64は、第一の一方の押圧部35、第一の他方の押圧部36と同様に左右方向の間隔は、パイプＰの全長と同じかやや長く形成されている。これら左右一対の乾燥用の一方の押圧部、乾燥用の他方の押圧部64は、第一の洗浄部４と同一の往復駆動装置37が接続されている。
【００３４】
そして、第六の固定台15は第一の固定台10と同様に、複数並設した第六の固定台15は、横置きされたパイプＰを支持できるように等間隔の第六の間隔65を有して６箇所に配置されている。さらに、第六の固定台15はパイプＰを安定的に支持できるように第二の乾燥部９の中心の真下に第六の係止部23が設けられており、第六の係止部23の前方は上向き傾斜となって第六の固定台15の前端15Ａは、待機部８と第六の固定台15との中間に配置されている。
【００３５】
最上段に配置される搬出部３は、図３中の左右方向に搬出用ローラ群66が長手方向に沿って複数並設しており、そして、搬出用ローラ群66の右側が洗浄前のパイプＰの出口67となっている。尚、搬出用ローラ群66のそれぞれのローラ軸線は水平となって前後方向に向いている。したがって、搬出部３から排出されたパイプＰは１本ごとに搬出用ローラ群66によって図３中の右側の出口67へと搬出される。
【００３６】
そして、第七の固定台16が設けられる。第一の固定台10と同様に、複数並設した第七の固定台16は、横置きされたパイプＰを搬出用ローラ群66側に落とし込むように等間隔の第七の間隔68を有して６箇所に配置されている。さらに、第七の固定台16は第二の乾燥部９から搬出されたパイプＰを後ろ側に転がして搬出用ローラ群66に落とし込むように案内するものであり、搬出用ローラ群66側より前向きに斜め上向き部が連続しており、第七の固定台16の前端16Ａを第二の乾燥部９と搬出部３との中間に配置されている。
【００３７】
このように配置された第一の固定台10〜第七の固定台16においては、第一の間隔28〜第七の間隔68は前後方向に沿って一直線状に配置されており、実施例では第一の間隔28〜第七の間隔68は五列に配置されている。
【００３８】
次に、搬入部２、第一の洗浄部４、第二の洗浄部５、第三の洗浄部６、第一の乾燥部７、待機部８、第二の乾燥部９及び搬出部３にパイプＰを順次搬送する搬送部69について説明する。この搬送部69は、搬入部２から第一の洗浄部４へパイプＰを搬送する第一の搬送台70、第一の洗浄部４から第二の洗浄部５へパイプＰを搬送する第二の搬送台71、第二の洗浄部５から第三の洗浄部６へパイプＰを搬送する第三の搬送台72、第三の洗浄部６から第一の乾燥部７へパイプＰを搬送する第四の搬送台73、第一の乾燥部７から待機部８へパイプＰを搬送する第五の搬送台74、待機部８から第二の乾燥部９へパイプＰを搬送する第六の搬送台75、第二の乾燥部９から搬出部３へパイプＰを搬送する第七の搬送台76を備える。
【００３９】
これら第一の搬送台70、第二の搬送台71、第三の搬送台72、第四の搬送台73、第五の搬送台74、第六の搬送台75、第七の搬送台76は一体的に設けられているものであって、前後方向に一直線状に配置されている第一の間隔28〜第七の間隔68に配置に連続して配置される。実施例では第一の間隔28〜第七の間隔68は五列であるので、搬送部69も五列に配置される。そして、これら搬送部69は上下往復動できるようになっている。
【００４０】
そして、第一の搬送台70は前端70Ａより後端70Ｂが直線状に次第に低くなるように配置されており、第一の搬送台70が低位置にあるとき、パイプＰの搬入を阻害しないように前端70Ａは搬入部２より低く配置されている。また第一の搬送台70の後端70Ｂは、第一の洗浄部４の中心（外周面洗浄用ヘッダーの中心）と第一の固定台10の前端10Ａの中間の下方に配置される。さらに、第一の搬送台70が高位置にあるとき、前方へ斜め上向きの傾斜状態にある第一の搬送台70の前端70Ａと後端70Ｂの中間部が第一の固定台10の前端10Ａと同一高さになるように、第一の搬送台70の前端70Ａは搬入ローラの略真上よりやや前側に配置されると共に、後端70Ｂは第一の洗浄部４の中心側（外周面洗浄用ヘッダーの中心側）よりやや前側に配置される。
【００４１】
同様に、後側が低くなる第二の搬送台71は、第一の搬送台70の後端70Ｂの真上又は略真上に第一の立ち上がり部77を介して前端71Ａが配置され、そして第二の搬送台71が低位置にあるとき、パイプＰの左右方向の移動を阻害しないように前端71Ａは第一の洗浄部４より低く配置されていると共に、後端71Ｂは第二の洗浄部５と、第二の固定台11の前端11Ａの中間の下方に配置される。さらに、第二の搬送台71が高位置にあるとき、傾斜状態にある第二の搬送台71の前端71Ａと後端71Ｂの中間部が第二の固定台11の前端11Ａと同一高さになるように、第二の搬送台71の前端71Ａは第一の洗浄部４の略真上よりやや前側に配置されると共に、後端71Ｂは第二の洗浄部５側に配置される。
【００４２】
第三の搬送台72は、第二の搬送台71の後端71Ｂの真上又は略真上に前端72Ａが第二の立ち上がり部78を介して配置され、そして第三の搬送台72が低位置にあるとき、パイプＰの左右方向の移動を阻害しないように前端72Ａは第二の洗浄部５より低く配置されていると共に、後端72Ｂは第三の洗浄部６と、第三の固定台12の前端12Ａの中間の下方に配置される。さらに、第三の搬送台72が高位置にあるとき、傾斜状態にある第三の搬送台72の前端72Ａと後端72Ｂの中間部が第三の固定台12の前端12Ａと同一高さになるように、第三の搬送台72の前端72Ａは第二洗浄部の略真上よりやや前側に配置されると共に、後端72Ｂは第三の洗浄部６側に配置される。
【００４３】
第四の搬送台73は、第三の搬送台72の後端72Ｂの真上又は略真上に第三の立ち上がり部79を介して前端73Ａが配置され、そして第四の搬送台73が低位置にあるとき、パイプＰの左右方向の移動を阻害しないように前端73Ａは第三の洗浄部６より低く配置されていると共に、後端73Ｂは第一の乾燥部７と第四の固定台13の前端13Ａの中間の下方に配置される。さらに、第四の搬送台73が高位置にあるとき、傾斜状態にある第四の搬送台73の前端73Ａと後端73Ｂの中間部が第四の固定台13の前端13Ａと同一高さになるように、第四の搬送台73の前端73Ａは第三の洗浄部６の略真上よりやや前側に配置されると共に、後端73Ｂは第一の乾燥部７側に配置される。
【００４４】
第五の搬送台74は、第四の搬送台73の後端73Ｂの真上又は略真上に前端が第四の立ち上がり部80を介して配置され、そして第五の搬送台74が低位置にあるとき、パイプＰの左右方向の移動を阻害しないように前端74Ａは第一の乾燥部７より低く配置されていると共に、後端74Ｂは待機部８と第五の固定台14の前端14Ａの中間の下方に配置される。さらに、第五の搬送台74が高位置にあるとき、傾斜状態にある第五の搬送台74の前端74Ａと後端74Ｂの中間部が第五の固定台14の前端と同一高さになるように、第五の搬送台74の前端74Ａは第一の乾燥部７の略真上のやや前側に配置されると共に、後端74Ｂは待機部８側に配置される。
【００４５】
第六の搬送台75は、第五の搬送台74の後端74Ｂの真上又は略真上に前端が第五の立ち上がり部81を介して配置され、そして第六の搬送台75が低位置にあるとき、パイプＰの左右方向の移動を阻害しないように前端75Ａは待機部８より低く配置されていると共に、後端75Ｂは待機部８と第六の固定台15の前端15Ａの中間の下方に配置される。さらに、第六の搬送台75が高位置にあるとき、傾斜状態にある第六の搬送台75の前端75Ａと後端75Ｂの中間部が第六の固定台15の前端15Ａと同一高さになるように、第六の搬送台75の前端75Ａは待機部８の略真上のやや前側に配置されると共に、後端75Ｂは搬出部３側に配置される。
【００４６】
第七の搬送台76は、第六の搬送台75の後端75Ｂの真上又は略真上に第六の立ち上がり部82を介して前端76Ａが配置され、そして第七の搬送台76が低位置にあるとき、パイプＰの左右方向の移動を阻害しないように前端76Ａは第二の乾燥部９より低く配置されていると共に、後端76Ｂは第二の乾燥部９と第七の固定台16の前端16Ａの中間の下方に配置される。さらに、第七の搬送台76が高位置にあるとき、傾斜状態にある第七の搬送台76の前端76Ａと後端76Ｂの中間部が第七の固定台16の前端16Ａと同一高さになるように、第七の搬送台76の前端76Ａは第二の乾燥部９の略真上のやや前側に配置されると共に、後端76Ｂは搬送部69側に配置される。
【００４７】
そして、第一の搬送台70、第二の搬送台71、第三の搬送台72、第四の搬送台73、第五の搬送台74、第六の搬送台75、第七の搬送台76を一体化した搬送部69に、上下方向の往復動駆動装置83を連結する。この上下方向の往復動駆動装置83は、装置の下部にシリンダー84を設け、このシリンダー84の上向きとなっている作動部85に前後一対の支持部材86を介して搬送部69を連結している。尚、支持部材86などを介して作動部85に前述の五列の搬送部69が一体に設けられることで、五列の搬送部69は同時に上下動できるようになっている。
【００４８】
次に前記構成についてその作用について説明する。
【００４９】
第１工程（パイプＰ搬入工程）
搬送部69は予め低位置にあり、そして図3中、被洗浄物であるパイプＰは左側より右側に搬入ローラ群25によって搬入部２へ搬入される。そしてこの搬入状態ではパイプＰの長手は左右方向に横向きで、第一の固定台10、第一の搬送台70に間隙を有して正対向している。
【００５０】
第２工程（第一の搬送台70から第一の洗浄部４へのパイプＰ搬送）
往復動駆動装置の作動によって搬送部69が高位置まで上昇して停止するまでの間に、左右に間隔をおいて5列配置されている第一の搬送台70が、左右に配置されている搬送ローラの間を通り抜けるとき、パイプＰは搬送ローラより第一の搬送台70に乗り移る。さらに第一の搬送台70が高位置まで上昇することで、パイプＰは搬送ローラより抜け出てパイプＰは第一の搬送台70の傾斜に沿って後端側に転がり移動して第二の搬送台71の前端71Ａを形成する第一の立ち上がり部77に係止する。この状態で往復動駆動装置83の作動によって搬送部69が低位置まで下降して停止すると。パイプＰは第一の搬送台70から第一の固定台10に乗り移り、そして第一の固定台10の傾斜に沿って後端側に転がり移動して第一の係止部18に係止されて転がりが停止して、第一の係止部18に載置する。
【００５１】
第３工程（第一の洗浄部４でのパイプＰ洗浄）
次に第一の横送り往復駆動部34を作動する。この第三工程の際には、予め第一の外周面洗浄用ヘッダー31の第一の外周面洗浄用ノズル29から洗浄液が内側に向かって噴出しており、また第一の内周面洗浄用ヘッダー32の第一の内周面洗浄用ノズル30から洗浄液が外側に向かって噴出している。そして、第一の一方の押圧部35、第一の他方の押圧部36が図３中、等間隔を保って同時に右側に移動すると、第一の一方の押圧部35がパイプＰの一側開口部に当接して、第一の固定台10の第一の係止部18上に載置されているパイプＰを右側に移動せしめると、パイプＰは第一の外周面洗浄用ヘッダー31に挿入してその外周にある汚れは第一の外周面洗浄用ノズル29からの洗浄液で洗浄され、またパイプＰの右側への移動により、パイプＰの内部に第一の内周面洗浄用ヘッダー32が挿入することで、パイプＰの内周にある汚れは第一の内周面洗浄用ノズル30からの洗浄液によって洗浄される。尚、第一の一方の押圧部35は外周面洗浄用ヘッダーに接近することで、パイプＰの全長にわたってその外周、内周を洗浄することができ、また第一の外周面洗浄用ヘッダー31より右側に突設したパイプＰは第一のローラ群27によって転がり支持できるようになっている。
【００５２】
そして、第一の一方の押圧部35は外周面洗浄用ヘッダーに接近した後、第一の一方の押圧部35、第一の他方の押圧部36が図３中において左側に移動することで、第一の一方の押圧部35はパイプＰより離れた後、第一の他方の押圧部36がパイプＰを押圧しながら移動することで、パイプＰは再び第一の外周面洗浄用ヘッダー31に対して左側方向に移動しながら、その外周、内周を洗浄液で洗浄することができる。
【００５３】
このような第一の洗浄部４において、第一の外周面洗浄用ヘッダー31の第一の外周面洗浄用ノズル29から噴出してパイプＰの外周を洗浄する洗浄液は、洗浄後にパイプＰの汚れと共に落下して洗浄室１の底部に溜まることになるが、パイプＰの外周を洗浄した洗浄液の一部は汚れと共にパイプＰに当たって跳ね返り、さらに飛散防止カバー33でも捕捉されずに周囲に飛散してしまう。尚、第一の内周面洗浄用ヘッダー32の第一の内周面洗浄用ノズル30から噴出した洗浄液の一部も汚れと共に周囲に飛散してしまうおそれがある。
【００５４】
このような飛散したパイプＰの汚れの一部は舞い上がってしまい、次工程となる第二の洗浄部５まで到達するおそれがあるが、第二の洗浄部５は第一の洗浄部４に対して段差高さＨ高く配置されているので、舞い上がった汚れが第二の洗浄部５に到達するのを押えられ、第一の洗浄部４での汚れの飛散によるパイプＰへの付着がない状態で、第二の洗浄部５での洗浄を行うことができる。
【００５５】
第４工程（第一の洗浄部４から第二の洗浄部５へのパイプＰ搬送）
再び往復動駆動装置の作動によって搬送部69が高位置まで上昇して停止するまでの間に、第二の搬送台71が、左右に配置されている第一の固定台10の間を通り抜けるとき、パイプＰは第一の固定台10より第二の搬送台71に乗り移る。さらに第二の搬送台71が高位置まで上昇することで、パイプＰは第一の固定台10より持ち上げられてパイプＰは第二の搬送台71の傾斜に沿って後端側に転がり移動して第三の搬送台72の前端を形成する第二の立ち上がり部78に係止する。この状態で往復動駆動装置の作動によって搬送部69が低位置まで下降して停止すると。パイプＰは第二の搬送台71から第二の固定台11に乗り移り、そして第二の固定台11の傾斜に沿って後端側に転がり移動して第二の係止部19に係止されて転がりが停止して、第二の係止部19に載置する。
【００５６】
この際、前述の第一工程、第二工程と同様に新たなパイプＰが第一の洗浄部４に載置されるように供給される。
【００５７】
第５工程（第二の洗浄部５でのパイプＰ洗浄）
再び第二の横送り往復駆動部45を作動する。この第五工程の際には、予め第二の外周面洗浄用ヘッダーの第二の外周面洗浄用ノズルから洗浄液が内側に向かって噴出しており、また第二の内周面洗浄用ヘッダーの第二の内周面洗浄用ノズルから洗浄液が外側に向かって噴出している。そして、第二の一方の押圧部46、第二の他方の押圧部47が図３中、等間隔を保って同時に右側に移動すると、第二の一方の押圧部46がパイプＰの一側開口部に当接して、第二の固定台11の第二の係止部19上に載置されているパイプＰを右側に移動せしめると、パイプＰは第二の外周面洗浄用ヘッダーに挿入してその外周にある汚れは第二の外周面洗浄用ノズルからの洗浄液で洗浄され、またパイプＰの右側への移動により、パイプＰの内部に第二の内周面洗浄用ヘッダーが挿入することで、パイプＰの内周にある汚れは第二の内周面洗浄用ノズルからの洗浄液によって洗浄される。尚、第二の外周面洗浄用ヘッダーより右側に突設したパイプＰは第二のローラ群42によって転がり支持できるようになっている。
【００５８】
そして、第二の一方の押圧部46は外周面洗浄用ヘッダーに接近した後、第二の一方の押圧部46、第二の他方の押圧部47が図３中において左側に移動することで、第二の一方の押圧部46はパイプＰより離れた後、第二の他方の押圧部47がパイプＰを押圧しながら移動することで、パイプＰは再び第二の外周面洗浄用ヘッダーに対して左側方向に移動しながら、その外周、内周を洗浄液で洗浄することができる。
【００５９】
このような第二の洗浄部５において、洗浄に伴い飛散したパイプＰの汚れの一部は舞い上がってしまい、次工程となる第三の洗浄部６まで到達するおそれがあるが、第三の洗浄部６は第二の洗浄部５に対して段差高さＨ高く配置されているので、舞い上がった汚れがほとんど第三の洗浄部６に到達せず、第二の洗浄部５での汚れの飛散によるパイプＰへの付着がない状態で、第三の洗浄部６での洗浄を精密に行うことができる。
【００６０】
第６工程（第二の洗浄部５から第三の洗浄部６へのパイプＰ搬送）
第４工程と同様に、第二の洗浄部５より第三の洗浄部６へパイプＰを移動する。
【００６１】
第７工程（第三の洗浄部６でのパイプＰ洗浄）
第５工程と同様に、第三の洗浄部６においてパイプＰを洗浄する。
【００６２】
第８工程（第三の洗浄部６から第一の乾燥部７へのパイプＰ搬送）
第４工程と同様に、第三の洗浄部６より第一の乾燥部７へパイプＰを移動する。
【００６３】
第９工程（第一の乾燥部７でのパイプＰ乾燥）
後述する第13工程と同様に、第一の乾燥部７においてパイプＰを一次乾燥する。
【００６４】
第10工程（第一の乾燥部７から待機部８へのパイプＰ搬送）
第４工程と同様に、第一の乾燥部７より待機部８へパイプＰを移動する。
【００６５】
第11工程（パイプＰ待機状態）
待機部８には押圧部はないので、他の押圧部が作動したとしても待機部８のパイプＰは左右に移動することはなく、次工程まで待機部８に載置されたままとなる。
【００６６】
第12工程（待機部８より第二の乾燥部９へパイプＰ搬送）
第４工程と同様に、待機部８より第二の乾燥部９へパイプＰを移動する。
【００６７】
第13工程（第二の乾燥部９でのパイプＰ乾燥）
再び横送り往復駆動部が作動されると、この第11程の際には、予め外周面乾燥用ヘッダー59の外周面乾燥用ノズル58から空気など清浄な気体が内側に向かって噴出しており、また内周面乾燥用ヘッダー61の内周面乾燥用ノズル60からも空気など清浄な気体が外側に向かって噴出している。そして、乾燥用の一方の押圧部63、乾燥用の他方の押圧部64が図３中、等間隔を保って同時に右側に移動すると、乾燥用の一方の押圧部63がパイプＰの一側開口部に当接して、第六の固定台15の第六の係止部23上に載置されているパイプＰを右側に移動せしめると、パイプＰは外周面乾燥用ヘッダー59に挿入してその外周にある洗浄液は外周面乾燥用ノズル58からの気体で乾燥され、またパイプＰの右側への移動により、パイプＰの内部に内周面乾燥用ヘッダー61が挿入することで、パイプＰの内周にある洗浄液は内周面乾燥用ノズル60からの気体によって洗浄される。尚、外周面乾燥用ヘッダー59より右側に突設したパイプＰは乾燥用のローラ群によって転がり支持できるようになっている。
【００６８】
そして、乾燥用の一方の押圧部63は外周面乾燥用ヘッダー59に接近した後、乾燥用の一方の押圧部63、乾燥用の他方の押圧部64が図３中において左側に移動することで、乾燥用の一方の押圧部63はパイプＰより離れた後、乾燥用の他方の押圧部64がパイプＰを押圧しながら移動することで、パイプＰは再び外周面乾燥用ヘッダー59に対して左側方向に移動しながら、その外周、内周を気体で乾燥することができる。
【００６９】
このような第二の乾燥部９において、乾燥に伴い飛散したパイプＰに付着していた汚れを含む洗浄液の一部は舞い上がってしまい、次工程となる搬出部３まで到達するおそれがあるが、第二の乾燥部９は搬出部３に対して段差高さＨ高く配置されているので、舞い上がった洗浄液が第二の乾燥部９に到達せず、第二の乾燥部９での洗浄液の飛散によるパイプＰへの付着がない状態となる。
【００７０】
第14工程（第二の乾燥部９から搬出部３へのパイプＰ搬送）
第４工程と同様に、第二の乾燥部９より搬出部３へ洗浄、乾燥されたパイプＰを移動する。
【００７１】
第15工程（パイプＰ搬出）
搬出部３においては、図3中、第七の固定台16に載置されているパイプＰは左側より右側に搬入ローラによって次の組立工程や出荷工程に向けて搬出される。そしてこの搬出状態ではパイプＰの長手は左右方向に横向きでとなっている。
【００７２】
以上のように前記実施例では、洗浄室１の前側に配置される洗浄前のパイプＰの搬入部２と、該搬入部２に対向して後側に配置される洗浄されたパイプＰの搬出部３と、これら搬入部２と搬出部３との間に設けられる搬入部２側に第一の洗浄部４、第一の洗浄部４に隣接して搬出部３側に配置される第二の洗浄部５、第一の洗浄部４に隣接して搬出部３側に配置される第二の洗浄部５、第二の洗浄部５に隣接して搬出部３側に配置される第三の洗浄部６、第三の洗浄部６に隣接して搬出部３側に配置される第一の乾燥部７に待機部８を介して隣接して搬出部３側に配置される第二の乾燥部９と、搬入部２に搬入された被洗浄物を第一の洗浄部４、第二の洗浄部５、第三の洗浄部６、第一の乾燥部７、待機部８、第二の乾燥部９及び搬出部３に順次搬送する搬送部69を備えた洗浄装置であって、第一の洗浄部４、第二の洗浄部５、第三の洗浄部６、第一の乾燥部７、待機部８、第二の乾燥部９及び搬出部３の高さを、順次高く配置したことで、第一の洗浄部４で発生したパイプＰの汚れがその上段にある第二の洗浄部５に飛散することを阻止でき、第二の洗浄部５で発生したパイプＰの汚れがその上方にある第三の洗浄部６に飛散することを阻止でき、第三の洗浄部６で発生したパイプＰの汚れがその上方にある第一の乾燥部７に飛散することを阻止でき、第一の乾燥部７で発生したパイプＰの汚れが合ったとしても、その汚れはその上方にある第二の乾燥部９に飛散することを阻止でき、第二の乾燥部９で発生したパイプＰの洗浄液などの残りがその上方にある搬出部３に飛散することを阻止できるので、各洗浄部間４，５，６、乾燥部７，９の汚れなどの飛散を阻止するための例えば開閉シャッターを設置しなくとも済み、開閉シャッターの開閉動力や開閉時間は不必要となって、パイプＰの精密洗浄において搬送のスピードアップを図ることができる。
【００７３】
また、第一の洗浄部４、第二の洗浄部５、第三の洗浄部６、第一の乾燥部７、待機部８、第二の乾燥部９及び搬出部３に対応して、パイプＰを支持可能な第一の固定台10、第二の固定台11、第三の固定台12、第四の固定台13、第五の固定台14、第六の固定台15、第七の固定台16を順次高く設け、搬入部２と第一の固定台10との間、第一の固定台10と第二の固定台11との間、第二の固定台11と第三の固定台12との間、第三の固定台12と第四の固定台13との間、第四の固定台13と第五の固定台14との間、第五の固定台14と第六の固定台15との間、第六の固定台15と第七の固定台16との間に、一体的に上下動してパイプＰを支持して上段側に持ち上げて移す第一の搬送台70〜第七の搬送台76をそれぞれ設けることで、搬入部２〜搬出部３間の第一の洗浄部４の洗浄工程〜第二の乾燥部９の乾燥工程において、パイプが絶えることなく各工程が同期するように連続的に精密洗浄することができる。
【産業上の利用可能性】
【００７４】
以上のように本発明に係る洗浄装置は、パイプ以外の各種形状の用途にも適用できる。
【符号の説明】
【００７５】
２  搬入部
３  搬出部
４  第一の洗浄部
５  第二の洗浄部
６  第三の洗浄部
７  第一の乾燥部
９  第二の乾燥部
10  第一の固定台
11  第二の固定台
12  第三の固定台
13  第四の固定台
14  第五の固定台
15  第六の固定台
16  第七の固定台
18  第一の係止部
19  第二の係止部
20  第三の係止部
21  第四の係止部
22  第五の係止部
23  第六の係止部
24  第七の係止部
31  第一の外周面洗浄用ヘッダー
32  第一の内周面洗浄用ヘッダー
34  第一の横送り往復駆動部（駆動部）
43  第二の外周面洗浄用ヘッダー
44  第二の内周面洗浄用ヘッダー
45  第二の横送り往復駆動部（駆動部）
50  第三の外周面洗浄用ヘッダー
51  第三の内周面洗浄用ヘッダー
52  第三の横送り往復駆動部（駆動部）
69  搬送部
71  第二の搬送台
72  第三の搬送台
73  第四の搬送台
74  第五の搬送台
75  第六の搬送台
76  第七の搬送台
Ｈ  段差高さ
Ｐ  パイプ（被洗浄物）
【図１】
0005748327.tif 000002
【図２】
0005748327.tif 000003
【図３】
0005748327.tif 000004
【図４】
0005748327.tif 000005
【図５】
0005748327.tif 000006
【図６】
0005748327.tif 000007
【図７】
0005748327.tif 000008